(57)【要約】      （修正有）【課題】レポート内に含まれる設定項目を表示する文字サイズを変更したり、設定項目に関する詳細な情報を表示するためのヘルプ表示を予め定められた設定項目を含むレポートに追加したり、予め定められた設定項目を含むレポートに使用頻度の高い設定項目を追加したり、予め定められた設定項目を含むレポートから使用頻度の低い設定項目を削除したりする何らかのレポートのカスタマイズを可能にすることによって、画像形成装置の操作性の向上を図り、操作者に対する不快感を軽減する。【解決手段】画像形成装置の設定に関する項目である設定項目を操作者に確認させるための設定項目確認ページに含まれる設定項目をカスタマイズ可能にするとともに、カスタマイズされた設定項目を含み、かつ、操作者に設定項目のデータを確認させるための設定項目確認ページの画像データを生成する制御部と、制御部により生成された画像データを出力する表示画面１ｂ１とを備える。【選択図】図１
2010050727.tif 000002
【特許請求の範囲】
【請求項１】
画像形成装置本体の設定に関する項目である設定項目を操作者に確認させるための設定項目確認ページに含まれる設定項目をカスタマイズ可能にする設定項目カスタマイズ手段と、
前記設定項目カスタマイズ手段によりカスタマイズされた設定項目を含み、かつ、操作者に設定項目のデータを確認させるための設定項目確認ページの画像データを生成する画像データ生成手段と、
前記画像データ生成手段により生成された画像データを出力する画像データ出力手段とを備えた画像形成装置。
【請求項２】
前記設定項目カスタマイズ手段は、
画像形成装置本体の設定に関する項目である設定項目を操作者に確認させるための設定項目確認ページに含まれる設定項目の文字サイズを設定するための文字サイズ設定手段を少なくとも含み、
前記画像データ生成手段は、
前記文字サイズ設定手段により設定された文字サイズで前記設定項目を含む設定項目確認ページの画像データを生成する請求項１に記載の画像形成装置。
【請求項３】
前記文字サイズ設定手段は、第１のサイズ、前記第１のサイズよりも大きい第２のサイズ、前記第２のサイズよりも大きい第３のサイズを少なくとも含む複数のサイズの何れかのサイズで、前記設定項目確認ページに含まれる設定項目の文字サイズを設定可能である請求項２に記載の画像形成装置。
【請求項４】
前記設定項目カスタマイズ手段は、
キーワードと、当該キーワードに関連する設定項目に関するデータとが対応して記憶された設定項目記憶手段と、
操作者の操作によるキーワードの入力を受け付けるキーワード入力受付手段と、
入力されたキーワードに関連する項目をキーとして前記設定項目記憶手段を検索し、当該検索の結果、得られた設定項目を前記設定項目記憶手段から読み出す設定項目読み出し手段とを含み、
前記画像生成手段は、
前記設定項目読み出し手段により読み出された設定項目を予め設定された設定項目確認ページに含まれる設定項目に追加するための設定項目追加要求が入力された場合に、予め定められた設定項目と、追加された設定項目とを含む設定項目確認ページの画像データを生成する請求項１に記載の画像形成装置。
【請求項５】
前記設定項目カスタマイズ手段は、
キーワードと、当該キーワードに関連する設定項目に関するデータとが対応して記憶された設定項目記憶手段と、
操作者の操作によるキーワードの入力を受け付けるキーワード入力受付手段と、
入力されたキーワードに関連する項目をキーとして前記設定項目記憶手段を検索し、当該検索の結果、得られた設定項目を前記設定項目記憶手段から読み出す設定項目読み出し手段とを含み、
前記画像生成手段は、
前記設定項目読み出し手段により読み出された設定項目を予め設定された設定項目確認ページに含まれる設定項目を予め定められた設定項目から削除するための設定項目削除要求が入力された場合に、予め定められた設定項目から要求の有る設定項目を削除した設定項目を含む設定項目確認ページの画像データを生成する請求項１に記載の画像形成装置。
【請求項６】
前記設定項目カスタマイズ手段は、
キーワードと、当該キーワードに関連する設定項目に関するデータとが対応して記憶された設定項目記憶手段と、
前記設定項目確認ページに含まれる設定項目に関するヘルプメッセージと当該ヘルプメッセージの表示状態に関するデータとが少なくとも対応して記憶されたヘルプメッセージ記憶手段と、
操作者の操作によるキーワードの入力を受け付ける手段と、
入力されたキーワードをキーとして前記設定項目記憶手段を検索し、当該検索の結果、得られた設定項目を前記設定項目記憶手段から読み出す設定項目読み出し手段と、
前記ヘルプメッセージの表示要求が操作者から有る場合に、前記設定項目読み出し手段により読み出された設定項目に対応する前記ヘルプメッセージのうち、前記表示状態のデータが当該ヘルプメッセージを表示する旨に設定されているヘルプメッセージのみを前記ヘルプメッセージ記憶手段から読み出すヘルプメッセージ読み出し手段とを含み、
画像データ生成手段は、
前記ヘルプメッセージ読み出し手段により読み出されたヘルプメッセージと当該ヘルプメッセージに対応する設定項目とから設定項目を含む設定項目確認ページの画像データを生成する請求項１に記載の画像形成装置。
【請求項７】
前記設定項目カスタマイズ手段は、
キーワードと、当該キーワードに関連する設定項目に関するデータとが対応して記憶された設定項目記憶手段と、
前記設定項目確認ページに含まれる設定項目に関するヘルプメッセージと、当該ヘルプメッセージの表示状態に関するデータと、当該ヘルプメッセージのＩＤとが少なくとも対応して記憶されたヘルプメッセージ記憶手段と、
操作者の操作によるキーワードの入力を受け付ける手段と、
入力されたキーワードをキーとして前記設定項目記憶手段を検索し、当該検索の結果、得られた設定項目を前記設定項目記憶手段から読み出す設定項目読み出し手段と、
前記ヘルプメッセージの表示要求が操作者から有る場合に、前記設定項目読み出し手段により読み出された設定項目に対応する前記ヘルプメッセージのうち、前記表示状態のデータが当該ヘルプメッセージを表示する旨に設定されているヘルプメッセージと、当該ヘルプメッセージのＩＤのみをヘルプメッセージ記憶手段から読み出すヘルプメッセージ読み出し手段とを含み、
前記画像データ生成手段は、
前記ヘルプメッセージ読み出し手段により読み出されたヘルプメッセージと、当該ヘルプメッセージに対応する設定項目と、ヘルプメッセージのＩＤとから、設定項目、設定項目に関連したヘルプメッセージ、及びヘルプメッセージのＩＤを含む設定項目確認ページの画像データを生成する請求項１に記載の画像形成装置。
【請求項８】
前記画像データ出力手段は、
前記画像生成手段により生成された設定項目確認ページの画像データを、前記画像形成装置本体に設けられた表示手段に表示させる請求項１乃至請求項７の何れか１項に記載の画像形成装置。
【請求項９】
前記画像データ出力手段は、
前記画像生成手段により生成された設定項目確認ページの画像データを印刷させる請求項１乃至請求項７の何れか１項に記載の画像形成装置。
【請求項１０】
画像形成装置本体の設定に関する項目である設定項目を操作者に確認させるための設定項目確認ページに含まれる全設定項目のうちの何れかの設定項目に関し、操作者の操作によってカスタマイズされた設定項目を含む設定項目確認ページの画像データを生成する画像データ生成ステップと、
前記画像データ生成ステップにより生成された画像データを出力する画像データ出力ステップと
を含むデータカスタマイズ方法。
【請求項１１】
画像データ生成ステップでは、
前記画像形成装置本体の設定に関する項目である設定項目を操作者に確認させるための設定項目確認ページに含まれる設定項目に関し、操作者の操作によって設定された文字サイズの設定定項目を含む設定項目確認ページの画像データを生成する請求項１０に記載のデータカスタマイズ方法。
【請求項１２】
前記画像データ生成ステップでは、
第１のサイズ、前記第１のサイズよりも大きい第２のサイズ、前記第２のサイズよりも大きい第３のサイズを少なくとも含む複数のサイズの何れかのサイズのうち、操作者の操作により設定された文字サイズの設定項目を含む設定項目確認ページの画像データを生成する請求項９又は請求項１１に記載のデータカスタマイズ方法。
【請求項１３】
操作者の操作によるキーワードの入力を受け付けるキーワード入力受付ステップと、
キーワードと、当該キーワードに関連する設定項目に関するデータとが対応して記憶された設定項目記憶手段を入力されたキーワードに関連する項目をキーとして検索し、当該検索の結果、得られた設定項目を前記設定項目記憶手段から読み出す設定項目読み出しステップとを更に含み、
前記画像生成ステップでは、
前記設定項目読み出しステップにより読み出された設定項目を予め設定された設定項目確認ページに含まれる設定項目に追加するための設定項目追加要求が入力された場合に、予め定められた設定項目と、追加された設定項目とを含む設定項目確認ページの画像データを生成する請求項１０に記載のデータカスタマイズ方法。
【請求項１４】
操作者の操作によるキーワードの入力を受け付けるキーワード入力受付ステップと、
キーワードと、当該キーワードに関連する設定項目に関するデータとが対応して記憶された設定項目記憶手段を入力されたキーワードに関連する項目をキーとして検索し、当該検索の結果、得られた設定項目を前記設定項目記憶手段から読み出す設定項目読み出しステップとを更に含み、
前記画像生成ステップでは、
前記設定項目読み出しステップにより読み出された設定項目を予め設定された設定項目確認ページに含まれる設定項目を予め定められた設定項目から削除するための設定項目削除要求が入力された場合に、予め定められた設定項目から要求の有る設定項目を削除した設定項目を含む設定項目確認ページの画像データを生成する請求項１０に記載のデータカスタマイズ方法。
【請求項１５】
操作者の操作によるキーワードの入力を受け付ける入力受付ステップと、
入力されたキーワードをキーとしてキーワードと、当該キーワードに関連する設定項目に関するデータとが対応して記憶された設定項目記憶手段を検索し、当該検索の結果、得られた設定項目を前記設定項目記憶手段から読み出す設定項目読み出しステップと、
前記ヘルプメッセージの表示要求が操作者から有る場合に、前記設定項目確認ページに含まれる設定項目に関するヘルプメッセージと当該ヘルプメッセージの表示状態に関するデータとが少なくとも対応して記憶されたヘルプメッセージ記憶手段から、前記設定項目読み出しステップにより読み出された設定項目に対応するヘルプメッセージのうち、前記表示状態のデータが当該ヘルプメッセージを表示する旨に設定されているヘルプメッセージのみを読み出すヘルプメッセージ読み出しステップとを更に含み、
前記画像データ生成ステップでは、
前記ヘルプメッセージ読み出しステップにより読み出されたヘルプメッセージと当該ヘルプメッセージに対応する設定項目とから、操作者によりカスタマイズされた設定項目と、
当該カスタマイズされた設定項目に関連するヘルプメッセージとを少なくとも含む設定項目確認ページの画像データを生成する請求項１０に記載のデータカスタマイズ方法。
【請求項１６】
操作者の操作によるキーワードの入力を受け付ける入力受付ステップと、
入力されたキーワードをキーとしてキーワードと、当該キーワードに関連する設定項目に関するデータとが対応して記憶された設定項目記憶手段を検索し、当該検索の結果、得られた設定項目を前記設定項目記憶手段から読み出す設定項目読み出しステップと、
前記ヘルプメッセージの表示要求が操作者から有る場合に、前記設定項目確認ページに含まれる設定項目に関するヘルプメッセージと、当該ヘルプメッセージの表示状態に関するデータと、当該ヘルプメッセージのＩＤとが少なくとも対応して記憶されたヘルプメッセージ記憶手段から、前記設定項目読み出しステップにより読み出された設定項目に対応するヘルプメッセージのうち、前記表示状態のデータが当該ヘルプメッセージを表示する旨に設定されているヘルプメッセージと、当該ヘルプメッセージのＩＤとを読み出すヘルプメッセージ読み出しステップとを更に含み、
前記画像データ生成ステップでは、
前記ヘルプメッセージ読み出しステップにより読み出されたヘルプメッセージと、当該ヘルプメッセージに対応する設定項目と、ヘルプメッセージのＩＤとから、設定項目、設定項目に関連したヘルプメッセージ、及びヘルプメッセージのＩＤを含む設定項目確認ページの画像データを生成する請求項１０に記載のデータカスタマイズ方法。
【請求項１７】
前記画像データ出力ステップでは、
前記画像生成ステップにより生成された設定項目確認ページの画像データを、前記画像形成装置本体に設けられた表示手段に表示させる請求項１０乃至請求項１６の何れか１項に記載のデータカスタマイズ方法。
【請求項１８】
前記画像データ出力ステップでは、
前記画像生成ステップにより生成された設定項目確認ページの画像データを印刷させる請求項１０乃至請求項１６の何れか１項に記載のデータカスタマイズ方法。
【発明の詳細な説明】
【技術分野】
【０００１】
本発明は、本体の設定に関する項目である設定項目を操作者に確認させるために表示画面に表示される設定項目確認ページ、換言すればレポートに含まれる項目をカスタマイズ可能な画像形成装置及びデータカスタマイズ方法に関する。
【背景技術】
【０００２】
従来、操作者からの操作指示に応じて予め定められた項目に関するデータを含むレポートを生成し、生成したレポートを印字することが可能な画像形成装置が知られている（引用文献１参照）。
【０００３】
【特許文献１】特開２００６−０８８５３６号公報
【発明の開示】
【発明が解決しようとする課題】
【０００４】
しかし、特許文献１に開示された画像形成装置は、レポートに含まれる設定項目に関するデータを変更することは一切できない。
【０００５】
すなわち、かかる画像形成装置では、予め定められた設定項目を含むレポートを印字するだけであるので、操作者が設定項目を表示する文字サイズを変更したいと思慮する場合、例えば高齢者がレポートに含まれる設定項目を表示する文字サイズを拡大したいと思慮する場合や、レポートに含まれる設定項目を表示画面上でスクロール表示することなく表示するために設定項目を表示する文字サイズを縮小したいと思慮する場合であっても、レポート内の予め定められた設定項目を表示する文字サイズを変更することはできない。
【０００６】
また、かかる画像形成装置では、予め定められた設定項目を含むレポートを印字するだけであるので、レポートに含まれる設定項目の詳細に関して知りたいと思慮する場合であっても、設定項目に関する詳細な情報を表示するためのヘルプ表示を予め定められた設定項目を含むレポートに追加することもできない。
【０００７】
更に、かかる画像形成装置では、予め定められた設定項目を含むレポートを印字するだけであるので、予め定められた設定項目を含むレポートに使用頻度の高い設定項目を追加したり、予め定められた設定項目を含むレポートから使用頻度の低い設定項目を削除したりしたいと操作者が思慮する場合であっても、予め定められた設定項目を含むレポートに使用頻度の高い設定項目を追加したり、予め定められた設定項目を含むレポートから使用頻度の低い設定項目を削除したりすることはできない。
【０００８】
その結果、かかる画像形成装置では、操作者が設定項目を表示する文字サイズを変更したいと思慮する操作者、レポートに含まれる設定項目の詳細に関して知りたいと思慮する操作者、及び予め定められた設定項目を含むレポートに使用頻度の高い設定項目を追加したり、予め定められた設定項目を含むレポートから使用頻度の低い設定項目を削除したりしたいと思慮する操作者に対して不快感を与えてしまう可能性が有る。
【０００９】
本発明者の画像形成装置の表示画面に表示されるレポートに対する検討によれば、レポート内に含まれる設定項目を表示する文字サイズを変更したり、設定項目に関する詳細な情報を表示するためのヘルプ表示を予め定められた設定項目を含むレポートに追加したり、予め定められた設定項目を含むレポートに使用頻度の高い設定項目を追加したり、予め定められた設定項目を含むレポートから使用頻度の低い設定項目を削除したりする何らかのレポートのカスタマイズを可能にすることによって、画像形成装置の操作性の向上を図るとともに、操作者に対して与える不快感の軽減を図ることが可能な画像形成装置に対する産業界の要望が高まっている。
【００１０】
そこで、本発明は、操作者に対して与える不快感の軽減を図ることが可能な画像形成装置及びデータカスタマイズ方法を提供することを目的とする。
【課題を解決するための手段】
【００１１】
本発明の骨子は、「設定項目の確認を行うための設定項目確認ページに含まれる設定項目を操作者の操作によってカスタマイズ可能に」する構成により、画像形成装置の操作性の向上を図るとともに、操作者に対して与える不快感の軽減を図ることを可能にするという本願に特有の顕著な効果を達成することにある。
【００１２】
なお、本明細書では、「設定項目を操作者の操作によってカスタマイズする」とは、「設定項目の文字サイズを変更して表示画面に表示させたり、印字させたりする」こと、「設定項目確認ページに含まれる設定項目と、当該設定項目に関連するヘルプ表示とを関連付けて表示画面に表示させたり、印字させたりする」こと、「設定項目確認ページに含まれる設定項目を操作者の操作によって追加したり、削除したりして、表示画面に表示させたり、印字させたりする」ことの何れかを意味する。
【００１３】
第１の発明は、画像形成装置本体の設定に関する項目である設定項目を操作者に確認させるための設定項目確認ページに含まれる設定項目をカスタマイズ可能にする設定項目カスタマイズ手段と、設定項目カスタマイズ手段によりカスタマイズされた設定項目を含み、かつ、操作者に設定項目のデータを確認させるための設定項目確認ページの画像データを生成する画像データ生成手段と、画像データ生成手段により生成された画像データを出力する画像データ出力手段とを備えた画像形成装置である。
【００１４】
第２の発明は、画像形成装置本体の設定に関する項目である設定項目を操作者に確認させるための設定項目確認ページに含まれる全設定項目のうちの何れかの設定項目に関し、操作者の操作によってカスタマイズされた設定項目を含む設定項目確認ページの画像データを生成する画像データ生成ステップと、画像データ生成ステップにより生成された画像データを出力する画像データ出力ステップとを含むデータカスタマイズ方法である。
【発明の効果】
【００１５】
本発明によれば、レポート内に含まれる設定項目を表示する文字サイズを変更したり、設定項目に関する詳細な情報を表示するためのヘルプ表示を予め定められた設定項目を含むレポートに追加したり、予め定められた設定項目を含むレポートに使用頻度の高い設定項目を追加したり、予め定められた設定項目を含むレポートから使用頻度の低い設定項目を削除したりする何らかのレポートのカスタマイズを可能にすることによって、画像形成装置の操作性の向上を図るとともに、操作者に対して与える不快感の軽減を図ることが可能となる。
【発明を実施するための最良の形態】
【００１６】
以下、本発明の最良の形態に関し、図面を参照して説明する。
【００１７】
本発明は、例えば図１、２に示すような構成の画像形成装置１００に適用される。
【００１８】
この画像形成装置１００は、例えばＬＡＮ（Local Area Network）やＷＡＮ（Wide Area Network）等の通信ネットワークを介して図示しない周知のパーソナルコンピュータや、図示しない他の複合機に接続され、ＦＡＸ機能、スキャナ機能、コピー機能、プリンター機能等の種々の機能を備える複合機であって、図１の外観斜視図に示すように、設定に関する項目である設定項目を操作者に確認させるための設定項目確認ページ、換言すればレポートを、装置本体１のパネル部１ｂの表示画面１ｂ１に表示する機能を備えている。
【００１９】
上記パネル部１ｂの表示画面１ｂ１に表示されるレポート、すなわち、設定項目確認ページには、操作者の操作によって設定された設定情報、例えば図示しないＤＨＣＰサーバ装置によって当該画像形成装置１００の装置本体１に割り当てられたＩＰアドレス、装置本体１内部に設けられたトナーカートリッジ内に残存するトナーの残量に関する情報、画像形成装置１００内部に設けられた給紙段（給紙トレイ）毎の記録紙の残量に関する情報、当該装置本体１にインストールされたファームウェアに関する情報等のうち少なくとも1つの情報を含む。
【００２０】
この画像形成装置１００は、本体の操作性のより一層の向上を図る観点から、前述した設定項目確認ページに含まれる設定項目をパネル部１ｂの操作者による操作によってカスタマイズ、例えば設定項目の文字サイズを変更して表示画面に表示させたり、印字させたり、設定項目確認ページに含まれる設定項目と、当該設定項目に関連するヘルプ表示とを関連付けて表示画面に表示させたり、印字させたり、設定項目確認ページに含まれる設定項目を操作者の操作によって追加したり、削除したりして、表示画面に表示させたり、印字させたりすることが可能なように構成されている。
【００２１】
この画像形成装置１００は、図２に示すように、電源スイッチ１ａと、パネル部１ｂと、インターフェース部１ｃと、トナー残量検出部１ｄＹ、１ｄＭ、１ｄＣ、１ｄＫと、給紙段別紙残量検出部１ｅ１〜１ｅｎと、給紙段別カウンタ１ｆ１〜１ｆｎと、ＩＰアドレス記憶メモリ１ｇと、レポート設定項目記憶メモリ１ｈと、表示項目設定記憶メモリ１ｉと、トナー残量記憶メモリ１ｊと、給紙段別紙残量記憶メモリ１ｋと、給紙段別印刷枚数記憶メモリ１ｌと、ファームウェアデータ記憶メモリ１ｍと、プログラム記憶メモリ１ｎと、占有者データ記憶メモリ１ｏと、排出トレイデータ記憶メモリ１ｐと、用紙種別データ記憶メモリ１ｑと、給紙段データ記憶メモリ１ｒと、実行予定ジョブ記憶バッファ１ｓと、印刷ジョブ履歴データ記憶メモリ１ｔと、テンプレートファイル記憶メモリ１ｕと、画像生成部１ｖと、プリンターエンジン部１ｗと、設定項目データベース１ｘと、ＤＢＭＳ１ｙと、制御部１ｚとを備えている。
【００２２】
なお、この画像形成装置１００の制御部１ｚは、製造時に図示しない内蔵メモリに画像形成プログラムが書き込まれた、又は記録媒体もしくは通信ネットワークを介して画像形成プログラムがインストールされたコンピュータによって実現される。また、この画像形成装置１００を構成する各部は、ソフトウェアもしくはハードウェア又はハードウェアとソフトウェアとの組み合わせの何れから構成されていてもよいことは言うまでもない。
【００２３】
電源スイッチ１ａは、操作者の操作によりオンオフの状態が切り換えられる機械式スイッチで有り、操作者の操作によりオンの状態に切り替えられた場合に、装置本体１の電源が投入されたことを示す電源投入信号を制御部１ｚに出力する。
【００２４】
パネル部１ｂは、この画像形成装置１００の装置本体１の電源スイッチ１ａが操作者の操作によってオンの状態に切り替えられた場合に実行される装置本体１の起動処理の完了前に表示され、かつ、予め後述するメニュー画面上の設定操作によって設定された設定情報であるＩＰアドレス、トナーの残量、記録紙の残量、及びファームウェアのバージョンに関する情報のうち少なくとも1つのデータを含むステータス表示画面と、装置本体１の電源スイッチ１ａがオンの状態に切り替えられた場合に装置本体１で実行される起動処理が完了した後、換言すれば前述したステータス表示画面が表示された後で表示され、かつ、ＦＡＸ機能とスキャナ機能とコピー機能とプリンター機能との相互切替え、文書のデータを読み取る際の解像度、作成する文書のデータを含む電子ファイルの形式、画質、読み取り時の濃度、読み取り倍率の設定、前述したステータス表示画面に表示させる設定情報の設定、後述するレディ画面に表示させる設定情報の設定、レポート画面に表示させる設定項目のカスタマイズ処理、及び各モードの設定等を行うためのメニュー画面と、ジョブを受け付けることが可能な場合に、メニュー画面上の設定操作によって設定された設定情報であるトナーの残量、給紙段毎の紙の残量等を含み、かつ、ジョブを受け付けることが可能なことを示すレディ画面と、レポート画面に表示させる設定項目を設定するための文字サイズ設定催促画面、設定項目検索催促画面、設定項目追加催促画面、及び設定項目無しメッセージ表示画面、設定項目を操作者に確認させるためのレポート画面とを表示する表示画面（表示手段）を備えている。
【００２５】
制御部１ｚは、操作者の操作によって電源投入がなされた場合に、周知のＤＨＣＰ（Dynamic Host Configuration Protocol：動的ホスト構成プロトコル）に準拠した手順で外部に設けられた図示しないＤＨＣＰサーバ装置にアクセスして、当該ＤＨＣＰサーバ装置によって当該画像形成装置１００に一定の時間だけ割り当てられるＩＰアドレスをインターフェース部１ｃを介して取得する。
【００２６】
また、インターフェース部１ｃは、例えばＬＡＮ（Local Area Network）やＷＡＮ（Wide Area Network）等の通信ネットワークを介して接続された図示しない周知のパーソナルコンピュータや、図示しない他の複合機から送信され、ジョブ毎に割り当てられたジョブＩＤ、及びネットワーク上の端末に割り当てられたマックアドレスを含むヘッダ部分と、ページ記述言語等で記載されたペイロードと、誤り検出及びパリティチェックに用いるＦＣＳ（Frame Check Sequence）とを含むパケットを受信し、受信したパケットのデータのパリティチェック、誤り訂正等の処理を実行した後、受信したパケットに含まれるデータを制御部１ｚに出力する。
【００２７】
トナー残量検出部１ｄY、１ｄM、１ｄC、１ｄKは、ＹＭＣＫ（Ｙｅｌｌｏｗ/Ｍａｇｅｎｔａ/Ｃｙａｎ/ｂｌａｃｋ）毎のトナーの残量を検出し、検出したトナーの残量のデータに、各トナー残量検出部１ｄＹ〜１ｄＫに割り当てられたトナーセンサＩＤを付加して、トナーの残量とトナーセンサＩＤとの組を制御部１ｚ１ｏに出力する。
【００２８】
給紙段別紙残量検出部１ｅ１〜１ｅｎは、給紙段毎に設置されており、給紙段毎の紙の残量に関するデータを検出し、検出した紙の残量に関するデータに給紙段別紙残量検出部１ｅ１〜１ｅｎ毎に割り当てられた紙センサＩＤを付加して、検出した紙の残量と紙センサＩＤとの組を制御部１ｚに出力する。
【００２９】
給紙段別カウンタ１ｆ１〜１ｆｎは、給紙段毎に設置されており、給紙段毎の印刷枚数をカウントし、カウントした印刷枚数に各給紙段別カウンタ１ｆ１〜１ｆｎに割り当てられたカウンタ識別ＩＤを付加して、カウントした印刷枚数とカウンタ識別ＩＤとの組を制御部１ｚに出力する。
【００３０】
ＩＰアドレス記憶メモリ１ｇには、外部に設けられた図示しないＤＨＣＰサーバ装置によって当該画像形成装置１００に一定の時間だけ割り当てられるＩＰアドレスが記憶されている。
【００３１】
表示項目設定記憶メモリ１ｈには、操作者の操作によってパネル部１ｂから入力された表示項目のデータが記憶されている。
【００３２】
トナー残量記憶メモリ１ｉには、トナーの残量、トナーセンサＩＤ、及び検出時刻が対応して記憶されている。
【００３３】
給紙段別紙残量記憶メモリ１ｊには、紙の残量、紙センサＩＤ、及び検出時刻が対応して記憶されている。
【００３４】
給紙段別印刷枚数記憶メモリ１ｋには、印刷枚数、カウンタ識別ID、及び検出時刻が対応して記憶されている。
【００３５】
ファームウェアデータ記憶メモリ１ｌには、この画像形成装置１００にインストールされたファームウェアのバージョンに関するデータが記憶されている。
【００３６】
プログラム記憶メモリ１ｍには、この画像形成装置１００にインストールされた複数のプログラムを含むソフトウェアが記憶されている。
【００３７】
占有者データ記憶メモリ１ｎには、ネットワーク上に接続された各端末装置に割り当てられたマックアドレスと、当該マックアドレスの割り当てられた各端末装置を占有する個人の氏名に関するデータとが少なくとも対応して記憶されている。
【００３８】
排出トレイデータ記憶メモリ１ｏには、用紙サイズに関するデータと、用紙サイズが割り当てられた排出トレイに関するデータとが少なくとも対応して記憶されている。
【００３９】
用紙種別データ記憶メモリ１ｐには、給紙段と、前述した端末装置等からの設定操作によって各給紙段に割り当てられた用紙の種別とが少なくとも対応して記憶されている。
【００４０】
給紙段データ記憶メモリ１ｑには、給紙段毎に予め設置された給紙段別カウンタ１ｆ１〜１ｆｎに割り当てられたカウンタ識別ＩＤのデータと操作者の操作によって、給紙段毎に設定された紙のサイズに関するデータとが少なくとも対応して記憶されている。
【００４１】
実行予定ジョブ記憶バッファ１ｒには、ビットマップのデータ、当該ビットマップに対応するマックアドレスのデータ、ファイル名のデータ、印刷ジョブＩＤ、用紙サイズ、及び容量に関するデータが実行順序に従ってソートされた実行予定の印刷ジョブを含む印刷ジョブリストが書き込み／読み出し可能に記憶されている。
【００４２】
印刷ジョブ履歴データ記憶メモリ１ｓには、印刷ジョブＩＤ、マックアドレスのデータ、ファイル名のデータ、用紙サイズ、容量に関するデータ、印刷ジョブの実行開始時刻、及び印刷ジョブの終了時刻が書き込み／読み出し可能に記憶されている。
【００４３】
設定項目リスト記憶メモリ１ｔには、操作者によって設定項目追加催促画面上で選択された設定項目のデータと、設定項目に関連するヘルプメッセージのデータと、設定項目及びヘルプメッセージをレポート内で表示する文字の大きさのデータと、ヘルプメッセージのＩＤと、設定項目に関連したヘルプメッセージの表示の有無に関するデータとが対応して記憶されている。
【００４４】
テンプレートファイル記憶メモリ１ｕには、実行予定の印刷ジョブの有無に関する実行予定ジョブ有無情報と、実行済みの印刷ジョブの有無に関する実行済みジョブ有無情報と、操作者の操作によって設定された表示時間と、表示項目と、表示形式と、表示項目のレイアウトに関するデータとが少なくとも予め定められたメニュー画面、ステータス表示画面、レディ画面、文字サイズ設定催促画面、設定項目検索催促画面、設定項目追加催促画面、設定項目無しメッセージ表示画面、変更事項確認画面、レポート生成催促画面、レポート画面のテンプレートファイルが記憶されている。
【００４５】
画像生成部１ｖは、制御部１ｚからページ記述言語で記述されたプリントデータを受け取り、受け取ったプリントデータを展開してビットマップのデータを生成し、生成したビットマップのデータを上記制御部１ｚに返送する。
【００４６】
プリンターエンジン部１ｗは、制御部１ｚから受け取ったビットマップのデータに基づいて電子写真方式で画像を顕像化して、情報記録材である紙の表面に画像を生成する。また、このプリンターエンジン部１ｗは、制御部１ｚから受け取ったデータ内に含まれるジョブの優先度に基づいて、割り込みジョブがあった場合に該当する実行予定のジョブの順序を入れ替えて実行予定のジョブリストを生成して上記制御部１ｚに出力する。さらに、このプリンターエンジン部１ｗは、ジョブの開始時にジョブの処理を開始したことを示すジョブ開始通知を制御部１ｚに出力し、また、ジョブの終了時にジョブの処理が終了したことを示すジョブ終了通知を制御部１ｚに出力する。
【００４７】
設定項目データベース１ｘは、図３に示すように、設定項目と、文字の大きさと、設定項目に関連するヘルプメッセージと、当該ヘルプメッセージのメッセージＩＤと、ヘルプメッセージの表示の有無に関するデータと、デフォルト設定の有無に関するデータとが対応して記憶されたリレーション型データベースである。
【００４８】
図３は、この画像形成装置１００における設定項目データベース１ｘの一例を示す模式図である。
【００４９】
設定項目（ａ）は、画像形成装置１００の使用環境に関連する項目である。
【００５０】
設定項目に関連するヘルプメッセージ（ｂ）は、設定項目に関連して画像形成装置１００の操作説明、設定項目の解説をするためのメッセージである。
【００５１】
文字の大きさ（ｃ）は、設定項目を操作者に確認させるための設置項目確認ページであるレポート内で「設定項目」及び「設定項目に関連するヘルプメッセージ」を表示する文字の大きさであり、例えば第１のサイズ（小）、第１のサイズ（小）よりも大きい第２のサイズ（中）、第２のサイズ（中）よりも大きい第３のサイズ（大）の何れかの文字サイズに関するデータに分類することが可能である。
【００５２】
ヘルプメッセージのメッセージＩＤ（ｄ）は、ヘルプメッセージ毎に予め定められた、ヘルプメッセージに固有のＩＤである。
【００５３】
ヘルプメッセージの表示の有無に関するデータ（ｅ）」は、設定項目を操作者に確認させるためのレポート（設定項目確認ページ）内で、ヘルプメッセージを対応する設定項目と関連付けて表示させるかを示すデータである。
【００５４】
デフォルト設定の有無に関するデータ（ｆ）は、設定項目を操作者に確認させるためのレポート（設定項目確認ページ）内に含まれる設定項目として各設定項目が設定されているかを示すデータである。
【００５５】
ＤＢＭＳ１ｙは、前述した設定項目データベース１ｘの管理、トランザクション管理、障害回復管理等の各種の管理を実行するシステムである。
【００５６】
制御部１ｚは、上記電源スイッチ１ａと、パネル部１ｂと、インターフェース部１ｃと、トナー残量検出部１ｄと、給紙段別紙残量検出部１ｅと、給紙段別カウンタ１ｆと、ＩＰアドレス記憶メモリ１Ｇと、表示項目設定記憶メモリ１ｈと、トナー残量記憶メモリ１ｉと、給紙段別紙残量記憶メモリ１ｊと、給紙段別印刷枚数記憶メモリ１ｋと、ファームウェアデータ記憶メモリ１ｌと、プログラム記憶メモリ１ｍと、占有者データ記憶メモリ１ｎと、排出トレイデータ記憶メモリ１ｏと、用紙種別データ記憶メモリ１ｐと、給紙段データ記憶メモリ１ｑと、実行予定ジョブ記憶バッファ１ｒと、印刷ジョブ履歴データ記憶メモリ１ｓと、テンプレートファイル記憶メモリ１ｕと、画像生成部１ｖと、プリンターエンジン部１ｗと、設定項目データベース１ｘと、ＤＢＭＳ１ｙとを制御する。
【００５７】
なお、この画像形成装置１００に備えられた各種メモリ１ｇ〜１ｔは、図示しない外部電源によってデータを保持するための電圧が印加された揮発性の半導体メモリから構成されているが、ＨＤＤ(Hard Disk Drive)等の種々の形として設けることがき、また、同一の半導体メモリ又はＨＤＤ等に複数の領域に分割して設けることもできる。
【００５８】
このような構成の画像形成装置１００に備えられた制御部１ｚは、図４のフローチャートに示す手順に従って、次のようなカスタマイズ処理に関連する制御動作を行う。
【００５９】
なお、パネル部１ｂの操作によって図示しないメニュー画面上で選択された、当該画像形成装置１００の起動処理の実行中に操作者が表示を希望する表示項目に関するデータが表示項目設定記憶メモリ（設定情報記憶手段）１ｈに予め記憶されているものとする。また、前回電源がオフの状態に切り替えられる直前における記録紙の残量のデータが給紙段別紙残量記憶メモリ１ｊに記憶されているものとする。さらに、この画像形成装置１００にインストールされているファームウェアに関するデータがファームウェアデータ記憶メモリ１ｌに記憶されているものとする。
【００６０】
この画像形成装置１００では、電源スイッチ１ａがオンの状態に切り替えられ、起動処理が実行されて、メニュー画面がパネル部１ｂの表示画面１ｂ１に表示されると、インストールされているプログラムが起動して、以下の一連の処理を実行する。
【００６１】
始めに、制御部１ｚは、パネル部１ｂの操作者の操作によって画像形成装置１００の設定に関する項目である設定項目を操作者に確認させるための設定項目確認ページに含まれる設定項目をカスタマイズするための設定項目カスタマイズ要求をパネル部１ｂから受け取ったかにより、画像形成装置１００の設定に関する項目である設定項目を操作者に確認させるための設定項目確認ページに含まれる設定項目をカスタマイズするためのレポートカスタマイズ釦の操作がパネル部１ｂの表示画面１ｂ１上に表示されたメニュー画面上でなされたかを判定する（ＳＴ１）。
【００６２】
制御部１ｚは、前述したステップＳＴ１で画像形成装置１００の設定に関する項目である設定項目を操作者に確認させるための設定項目確認ページに含まれる設定項目をカスタマイズするためのレポートカスタマイズ釦の操作がパネル部１ｂの表示画面１ｂ１上に表示されたメニュー画面上でなされたと判定した場合には（ＳＴ１：Ｙｅｓ）、画像形成装置１００の設定に関する項目である設定項目を操作者に確認させるための設定項目確認ページに含まれる設定項目を表示する文字サイズの設定を促す文字サイズ設定催促画面のテンプレートファイルをテンプレートファイル記憶部から読み出し、読み出した文字サイズ設定催促画面のテンプレートファイルから文字サイズ設定催促画面のデータを生成した後、生成した文字サイズ設定催促画面をパネル部１ｂの表示画面１ｂ１に表示させる（ＳＴ２）。
【００６３】
図５は、画像形成装置１００のパネル部１ｂの表示画面１ｂ１上に表示される文字サイズ設定催促画面の一例を示す模式図である。
【００６４】
本実施の形態に係る文字サイズ設定催促画面では、カスタマイズを行っているのが設定項目確認ページに含まれる設定項目であることを示す「レポートデザイン」という表示と、設定項目確認ページに含まれる設定項目を表示する文字サイズを第１のサイズ（小）に設定するための設定釦と、前述した第１のサイズ（小）よりも大きい第２のサイズ（中）に設定するための設定釦と、前述した第２のサイズ（中）よりも大きい第３のサイズ（大）に設定するための設定釦と、選択された文字サイズで設定項目確認ページに含まれる設定項目を表示させるための文字サイズ設定要求を入力するための確定釦とが設けられている。
【００６５】
一方、制御部１ｚは、前述したステップＳＴ１で画像形成装置１００の設定に関する項目である設定項目を操作者に確認させるための設定項目確認ページに含まれる設定項目をカスタマイズするためのレポートカスタマイズ釦の操作がパネル部１ｂの表示画面１ｂ１上に表示されたメニュー画面上でなされていないと判定した場合には（ＳＴ１：Ｎｏ）、画像形成装置１００の設定に関する項目である設定項目を操作者に確認させるための設定項目確認ページに含まれる設定項目をカスタマイズするための図示しないレポートカスタマイズ釦の操作がパネル部１ｂの表示画面１ｂ１上に表示されたメニュー画面上でなされたかに関する判定処理を繰り返す。
【００６６】
ステップＳＴ３では、制御部１ｚは、前述した第１のサイズ（小）、第１のサイズ（小）よりも大きい第２のサイズ（中）、第２のサイズ（中）よりも大きい第３のサイズ（大）の何れかの文字サイズに関するデータと、選択された文字サイズで設定項目確認ページに含まれる設定項目を表示させるための文字サイズ設定要求との組をパネル部１ｂから受け取ったかにより、前述した文字サイズ設定催促画面上で何れかの文字サイズに関するデータとが選択された状態で、選択された文字サイズで設定項目確認ページに含まれる設定項目を表示させるための文字サイズ確定釦の操作がなされたかを判定する。
【００６７】
制御部１ｚは、前述したステップＳＴ３で前述した第１のサイズ（小）、第１のサイズ（小）よりも大きい第２のサイズ（中）、第２のサイズ（中）よりも大きい第３のサイズ（大）の何れかの文字サイズに関するデータと、選択された文字サイズで設定項目確認ページに含まれる設定項目を表示させるための文字サイズ設定要求との組をパネル部１ｂから受け取った場合、換言すれば前述した文字サイズ設定催促画面上で何れかの文字サイズに関するデータとが選択された状態で、選択された文字サイズで設定項目確認ページに含まれる設定項目を表示させるための文字サイズ確定釦の操作がなされたと判定した場合には（ＳＴ３：Ｙｅｓ）、設定項目リスト記憶部に記憶された設定項目に関するデータのうち、文字サイズに関するデータを、パネル部１ｂから受け取った第１のサイズ（小）、第１のサイズ（小）よりも大きい第２のサイズ（中）、第２のサイズ（中）よりも大きい第３のサイズ（大）の何れかの文字サイズに関するデータで更新した後、設定項目確認ページに含まれる設定項目の検索を促す設定項目検索催促画面のテンプレートファイルをテンプレートファイル記憶部から読み出し、読み出した設定項目検索催促画面のテンプレートファイルから設定項目検索催促画面のデータを生成し、しかる後、生成した設定項目検索催促画面をパネル部１ｂの表示画面１ｂ１に表示させる（ＳＴ４）。
【００６８】
ここで、この画像形成装置１００のパネル部１ｂの表示画面１ｂ１上に表示される設定項目検索催促画面の一例を図６に示す。
【００６９】
この図６に示す設定項目検索催促画面では、カスタマイズを行っているのが設定項目確認ページに含まれる設定項目であることを示す「レポートデザイン」という表示と、設定項目確認ページに含まれる設定項目の検索を行うためのキーワードの入力を促す空欄と、前述した空欄に入力されたキーワードにより設定項目データベース１ｘの検索を開始させるための検索釦とが含まれている。
【００７０】
一方、制御部１ｚは、前述したステップＳＴ３で何れかの文字サイズに関するデータと、選択された文字サイズで設定項目確認ページに含まれる設定項目を表示させるための文字サイズ設定要求との組をパネル部１ｂから受け取っていない、換言すれば前述した文字サイズ設定催促画面上で何れの文字サイズに関するデータとが選択されていないか、前述した文字サイズ設定催促画面上で何れの文字サイズに関するデータとが選択された状態で、選択された文字サイズで設定項目確認ページに含まれる設定項目を表示させるための確定釦の操作がなされていないと判定した場合には（ＳＴ３：Ｎｏ）、前述した文字サイズ設定催促画面上で何れかの文字サイズに関するデータとが選択された状態で、選択された文字サイズで設定項目確認ページに含まれる設定項目を表示させるための確定釦の操作がなされたかに関する判定処理を繰り返す。
【００７１】
ステップＳＴ５では、制御部１ｚは、設定項目確認ページに含まれる設定項目の検索を行うためのキーワードと、入力されたキーワードにより設定項目データベース１ｘの検索を開始させるための検索開始命令との組をパネル部１ｂから受け取ったかにより、設定項目確認ページに含まれる設定項目の検索を行うためのキーワードの入力を促す空欄にキーワードが入力された状態で、入力されたキーワードを検索キーとして設定項目データベース１ｘの検索を開始させるための検索釦の操作が前述した設定項目検索催促画面上でなされたかを判定する。
【００７２】
制御部１ｚは、前述したステップＳＴ５で設定項目確認ページに含まれる設定項目の検索を行うためのキーワードの入力を促す空欄にキーワードが入力された状態で、入力されたキーワードを検索キーとして設定項目データベース１ｘの検索を開始させるための検索釦の操作が前述した設定項目検索催促画面上でなされたと判定した場合には（ＳＴ５：Ｙｅｓ）、パネル部１ｂから受け取ったキーワードと、受け取ったキーワードを検索キーとして設定項目データベース１ｘの検索を開始させるための問い合わせとの組をＤＢＭＳ１ｙ（データベース管理システム：Database Management System）に出力する（ＳＴ６）。
【００７３】
ＤＢＭＳ１ｙは、制御部１ｚからキーワードと、受け取ったキーワードを検索キーとして設定項目データベース１ｘの検索を開始させるための検索開始命令との組を受け取ると、制御部１ｚから受け取ったキーワードを検索キーとして設定項目データベース１ｘを検索する。
【００７４】
そして、ＤＢＭＳ１ｙは、当該検索の結果、制御部１ｚから受け取ったキーワードに対応する設定項目が存在する場合には、受け取ったキーワードに対応する設定項目をレコードとして設定項目データベース１ｘから読み出す。
【００７５】
次に、ＤＢＭＳ１ｙは、制御部１ｚから受け取ったキーワードに対応する設定項目が存在することを示す設定項目有り応答と、設定項目データベース１ｘから読み出したレコードとの組を制御部１ｚに出力する。
【００７６】
一方、ＤＢＭＳ１ｙは、前述した検索の結果、制御部１ｚから受け取ったキーワードに対応する設定項目が存在しない場合には、制御部１ｚから受け取ったキーワードに対応する設定項目が存在しないことを示す設定項目無し応答を制御部１ｚに出力する。
【００７７】
一方、制御部１ｚは、前述したステップＳＴ５で設定項目確認ページに含まれる設定項目の検索を行うためのキーワードの入力を促す空欄にキーワードが入力された状態で、入力されたキーワードを検索キーとして設定項目データベース１ｘの検索を開始させるための検索釦の操作が前述した設定項目検索催促画面上でなされていないと判定した場合には（ＳＴ５：Ｎｏ）、設定項目確認ページに含まれる設定項目の検索を行うためのキーワードの入力を促す空欄にキーワードが入力された状態で、入力されたキーワードを検索キーとして設定項目データベース１ｘの検索を開始させるための検索釦の操作が前述した設定項目検索催促画面上で操作者によってなされたかに関する判定処理を繰り返す。
【００７８】
ステップＳＴ７では、制御部１ｚは、ＤＢＭＳ１ｙから受け取った応答の種別と、レコードの存在の有無に関して判定する。
【００７９】
制御部１ｚは、前述したステップＳＴ７でなされた判定の結果、ＤＢＭＳ１ｙから受け取った応答の種別が、制御部１ｚから受け取ったキーワードに対応する設定項目が存在することを示す設定項目有り応答で有り、設定項目データベース１ｘから読み出したレコードが存在する場合には（ＳＴ７：レコード有り）、検索の結果、得られた設定項目に関するデータを設定項目確認ページに含まれる設定項目への追加を促す設定項目追加催促画面のテンプレートファイルをテンプレートファイル記憶部から読み出し、読み出した設定項目追加催促画面のテンプレートファイルから設定項目追加催促画面のデータを生成した後、生成した設定項目追加催促画面をパネル部１ｂの表示画面に表示させる（ＳＴ８）。
【００８０】
この画像形成装置１００のパネル部１ｂの表示画面１ｂ１上に表示される設定項目追加催促画面の一例を図７に示す。
【００８１】
この図７に示す設定項目追加催促画面には、設定項目データベース１ｘを検索する際の検索キーの入力を受け付ける検索キー入力受付領域と、検索キー入力受付領域に入力されたキーワードを検索キーとして設定項目データベース１ｘの検索を開始させるための検索釦と、設定項目データベース１ｘの検索結果として得られた設定項目に関するデータを表示する追加候補表示領域と、追加候補表示領域に表示されている設定項目を設定項目確認ページに含まれる設定項目に追加させるための追加釦と、追加候補表示領域に表示されている設定項目を設定項目確認ページに含まれる設定項目に追加させる追加処理を完了させるための完了釦と、追加候補表示領域に表示されている設定項目に対応するヘルプメッセージを設定項目確認ページに含まれる設定項目に関連付けて表示させるためのヘルプ表示オン釦と、設定項目を確認させるためのレポート（設定項目確認ページ）を生成するためのレポート生成釦とが含まれている。
【００８２】
なお、設定項目追加催促画面には、設定項目データベース１ｘを検索する際の検索キーの入力を受け付ける検索キー入力受付領域と、検索キー入力受付領域に入力されたキーワードを検索キーとして設定項目データベース１ｘの検索を開始させるための検索釦と、設定項目データベース１ｘの検索結果として得られた設定項目に関するデータを表示する追加候補表示領域と、追加候補表示領域に表示されている設定項目を設定項目確認ページに含まれる設定項目に追加させるための追加釦と、追加候補表示領域に表示されている設定項目を設定項目確認ページに含まれる設定項目に追加させる追加処理を完了させるための完了釦と、追加候補表示領域に表示されている設定項目に対応するヘルプメッセージを設定項目確認ページに含まれる設定項目に関連付けて表示させるためのヘルプ表示オン釦と、設定項目を確認させるためのレポート（設定項目確認ページ）を生成するためのレポート生成釦とが含まれていたが、これに限らず、追加候補表示領域に表示されている設定項目を、設定項目確認ページに含まれる予め設定された設定項目から削除させる削除処理を実行させるための削除釦が更に含まれていてもよい。
【００８３】
一方、制御部１ｚは、前述したステップＳＴ７でなされた判定の結果、ＤＢＭＳ１ｙから受け取った応答の種別が、キーワードに対応する設定項目が存在しないことを示す設定項目無し応答で、設定項目データベース１ｘから読み出したレコードが存在しない場合には（ＳＴ７：レコード無し）、キーワードに対応する設定項目が存在しないことを示す設定項目無しメッセージを含む設定項目無しメッセージ表示画面のテンプレートファイルをテンプレートファイル記憶部から読み出し、読み出した設定項目無しメッセージ表示画面のテンプレートファイルから設定項目無しメッセージ表示画面のデータを生成した後、生成した設定項目無しメッセージ表示画面をパネル部１ｂの表示画面１ｂ１に表示させた後（ＳＴ９）、前述したステップＳＴ４と同様に、設定項目検索催促画面のテンプレートファイルをテンプレートファイル記憶部から読み出し、読み出した設定項目検索催促画面のテンプレートファイルから設定項目検索催促画面のデータを生成し、しかる後、生成した設定項目検索催促画面をパネル部１ｂの表示画面１ｂ１に表示させる。
【００８４】
この画像形成装置１００のパネル部１ｂの表示画面１ｂ１上に表示される設定項目無しメッセージ表示画面の一例を図８に示す。
【００８５】
この図８に示す設定項目無しメッセージ表示画面では、カスタマイズを行っているのが設定項目確認ページに含まれる設定項目であることを示す「レポートデザイン」という表示と、キーワードに対応する設定項目が存在しないことを示す設定項目無しメッセージと、設定項目確認ページに含まれる設定項目の検索を行うためのキーワードの入力を促す空欄と、前述した空欄に入力されたキーワードにより設定項目データベース１ｘの検索を開始させるための検索釦とが含まれている。
【００８６】
ステップＳＴ１０では、制御部１ｚは、追加候補表示領域に表示された設定項目に関するデータと、追加候補表示領域に表示された設定項目に関するデータを設定項目確認ページに含まれる設定項目に追加させるための追加仮要求との組をパネル部１ｂから受け取ったかにより、追加候補表示領域に表示されている設定項目を設定項目確認ページに含まれる設定項目に追加させるための追加釦が前述した設定項目追加催促画面上で操作者により操作されたかを判定する。
【００８７】
制御部１ｚは、前述したステップＳＴ１０で追加候補表示領域に表示されている設定項目を設定項目確認ページに含まれる設定項目に追加させるための追加釦が前述した設定項目追加催促画面上で操作者により操作されたと判定した場合（ＳＴ１０：Ｙｅｓ）、予め定められた設定項目確認ページに含まれる設定項目のデータに選択された設定項目を追加する設定項目追加確定要求をパネル部１ｂから受け取ったかにより、前述した設定項目追加催促画面上で操作者によって完了釦が操作されたかを判定する（ＳＴ１１）。
【００８８】
一方、制御部１ｚは、前述したステップＳＴ１０で追加候補表示領域に表示されている設定項目を設定項目確認ページに含まれる設定項目に追加させるための追加釦が前述した設定項目追加催促画面上で操作者により操作されていないと判定した場合（ＳＴ１０：Ｎｏ）、追加候補表示領域に表示されている設定項目を設定項目確認ページに含まれる設定項目に追加させるための追加釦が前述した設定項目追加催促画面上で操作者により操作されたかに関する判定処理を繰り返す。
【００８９】
一方、制御部１ｚは、前述したステップＳＴ１１で予め定められた設定項目確認ページに含まれる設定項目のデータに選択された設定項目を追加する設定項目追加確定要求をパネル部１ｂから受け取ったと判定した場合、換言すれば前述した設定項目追加催促画面上で操作者によって完了釦が操作されたと判定した場合には（ＳＴ１１：Ｙｅｓ）、パネル部１ｂから受け取った設定項目に関するデータを設定項目リスト記憶メモリ１ｔに記憶させる（ＳＴ１２）。
【００９０】
例えば、前述した図７に示すように、「サイズ」という単語をキーとして設定項目データベース１ｘを検索した結果、得られた「読み取り原稿サイズ」「出力原稿サイズ」という設定項目が表示された設定項目追加催促画面上で「読み取り原稿サイズ」及び「出力原稿サイズ」という設定項目の一方が選択された状態で、操作者の操作によって追加釦が操作されると、制御部１ｚは、「読み取り原稿サイズ」及び「出力原稿サイズ」という設定項目のうち操作者によって選択された設定項目のデータを設定項目リスト記憶メモリ１ｔに記憶させることになる。
【００９１】
なお、この画像形成装置１００の制御部１ｚは、設定項目確認ページに含まれる予め定められた設定項目のデータに、選択された設定項目を追加するための設定項目追加要求をパネル部１ｂから受け取ったと判定した場合、換言すれば前述した設定項目追加催促画面上で操作者によって完了釦が操作されたと判定した場合に、パネル部１ｂから受け取った設定項目に関するデータを設定項目リスト記憶メモリ１ｔに記憶させる処理を実行していたが、これに限らず、設定項目確認ページに含まれる予め定められた設定項目のデータから選択された設定項目を削除するための設定項目削除要求をパネル部１ｂから受け取った場合、換言すれば前述した設定項目追加催促画面上で操作者によって、追加候補表示領域に表示されている設定項目を、設定項目確認ページに含まれる予め設定された設定項目から削除させる削除処理を実行させるための削除釦が操作されたと判定した場合に、パネル部１ｂから受け取った設定項目に関するデータを設定項目リスト記憶メモリ１ｔに記憶させる処理を実行した後、パネル部１ｂから受け取った設定項目に関するデータに関し、当該設定項目が設定項目確認ページに含まれる設定項目として予め定められた設定項目であるかを示すデフォルト設定の有無に関するデータを、当該設定項目が設定項目確認ページに含まれる設定項目として予め定められた設定項目であることを示す「デフォルト設定有り」から、当該設定項目が設定項目確認ページに含まれる設定項目として予め定められた設定項目ではないことを示す「デフォルト設定無し」に変更するためのデフォルト設定項目変更命令をＤＢＭＳ１ｙに対して出力してもよいことは言うまでもない。
【００９２】
このように構成することによって、この画像形成装置１００では、追加候補表示領域に表示されている設定項目を、設定項目確認ページに含まれる予め設定された設定項目から削除させる削除処理を実行させるための削除釦が前述した設定項目追加催促画面上で操作者によって操作された場合に、設定項目確認ページに含まれる設定項目として予め定められた設定項目から選択された設定項目が削除された設定項目のデータと、テンプレートファイル記憶部から読み出したレポート画面のテンプレートファイルとから、第１のサイズ（小）、第１のサイズ（小）よりも大きい第２のサイズ（中）、第２のサイズ（中）よりも大きい第３のサイズ（大）の何れかの文字サイズと同一の文字サイズの設定項目のデータと、設定項目リスト記憶メモリ１ｔ又は設定項目データベース１ｘに記憶された文字サイズと同一の文字サイズの、当該設定項目のデータに関連付けられたヘルプメッセージとを含む一方、設定項目リスト記憶メモリ１ｔに記憶された全ての設定項目のデータのうちヘルプメッセージの表示状態がレポートに含まれる設定項目のデータにヘルプメッセージを関連付けて表示しないことを示す「非表示」になっている設定項目に関しては、設定項目リスト記憶メモリ１ｔ又は設定項目データベース１ｘに記憶された第１のサイズ（小）、第１のサイズ（小）よりも大きい第２のサイズ（中）、第２のサイズ（中）よりも大きい第３のサイズ（大）の何れかの文字サイズと同一の文字サイズの設定項目のデータを含むレポート画面のデータを生成し、生成したレポート画面のデータをパネル部１ｂの表示画面に表示させることが可能になる。
【００９３】
一方、制御部１ｚは、前述したステップＳＴ１１で予め定められた設定項目確認ページに含まれる設定項目のデータに選択された設定項目を追加する設定項目追加要求を受け取っていないと判定した場合、換言すれば前述した設定項目追加催促画面上で操作者によって完了釦が操作されていないと判定した場合には、前述した設定項目追加催促画面上で操作者によって完了釦が操作されたかに関する判定処理を繰り返す。
【００９４】
ステップＳＴ１３では、制御部１ｚは、追加候補表示領域に表示された設定項目に関するデータと、追加候補表示領域に表示された設定項目と、当該設定項目に関連するヘルプメッセージとを関連付けて表示させるためのヘルプメッセージ表示要求との組を受け取ったかにより、ヘルプメッセージを表示させるためのヘルプメッセージオン釦が前述した設定項目追加催促画面上で選択されたかを判定する。
【００９５】
制御部１ｚは、前述したステップＳＴ１３で、追加候補表示領域に表示された設定項目に関するデータと、追加候補表示領域に表示された設定項目と、当該設定項目に関連するヘルプメッセージとを関連付けて表示させるためのヘルプメッセージ表示要求との組を受け取ったと判定した場合、換言すれば、ヘルプメッセージを表示させるためのヘルプメッセージオン釦が前述した設定項目追加催促画面上で選択されたと判定した場合には（ＳＴ１３：Ｙｅｓ）、設定項目リスト記憶メモリ１ｔに記憶された設定項目のデータに関し、当該設定項目を設定項目確認ページに関連付けて表示するかを示す「表示状態」のデータを、当該設定項目を設定項目確認ページに関連付けて表示しないことを示す「非表示」から当該設定項目を設定項目確認ページに関連付けて表示することを示す「表示」に変更した後、「表示状態」のデータを変更した設定項目のデータを設定項目リスト記憶メモリ１ｔに記憶させ（ＳＴ１４）、しかる後、変更した設定項目に関するデータを確認させるための変更事項確認画面のテンプレートファイルをテンプレートファイル記憶メモリ１ｕから読み出し、読み出した変更事項確認画面のテンプレートファイルから変更事項確認画面のデータを生成した後、生成した変更事項確認画面をパネル部１ｂの表示画面に表示させる（ＳＴ１５）。
【００９６】
この画像形成装置１００のパネル部１ｂの表示画面１ｂ１上に表示される変更事項確認画面の一例を図９に示す。
【００９７】
この図９に示す変更事項確認画面には、カスタマイズを行っているのが設定項目確認ページに含まれる設定項目であることを示す「レポートデザイン」という表示と、レポートに含まれる設定項目として、デフォルト設定で設定されている設定項目以外に読み取り原稿サイズに関するデータと、当該読み取り原稿サイズに関するデータに対して関連するヘルプメッセージの表示を行うことを示す「読み取り原稿サイズ（ヘルプＯＮ）を追加しました」というメッセージと、設定項目のカスタマイズを終了して前述したメニュー画面を表示させるための完了釦と、レポートの生成を操作者に促すためのレポート生成催促画面を表示させるためのレポート生成催促画面表示釦（「次へ」釦）とが含まれている。
【００９８】
一方、制御部１ｚは、前述したステップＳＴ１３で、ヘルプメッセージを表示させるためのヘルプメッセージオン釦が前述した設定項目追加催促画面上で選択されていないと判定した場合には（ＳＴ１３：Ｎｏ）、ヘルプメッセージを表示させるためのヘルプメッセージオン釦が前述した設定項目追加催促画面上で選択されたかに関する判定処理を繰り返す。
【００９９】
ステップＳＴ１６では、制御部１ｚは、設定項目確認ページであるレポートの生成を操作者に促すためのレポート生成催促画面を表示させるためのレポート生成催促画面表示要求を受け取ったかにより、設定項目確認ページであるレポートの生成を操作者に促すためのレポート生成催促画面を表示させるためのレポート生成催促画面表示釦が前述した変更事項確認画面上で操作者によって操作されたかを判定する。
【０１００】
制御部１ｚは、前述したステップＳＴ１６で設定項目確認ページであるレポートの生成を操作者に促すためのレポート生成催促画面を表示させるためのレポート生成催促画面表示釦が前述した変更事項確認画面上で操作者によって操作されたと判定した場合には（ＳＴ１６：Ｙｅｓ）、設定項目確認ページであるレポートの生成を操作者に促すためのレポート生成催促画面のテンプレートファイルをテンプレートファイル記憶メモリ１ｕから読み出し、読み出したレポート生成催促画面のテンプレートファイルからレポート生成催促画面のデータを生成した後、生成したレポート生成催促画面をパネル部１ｂの表示画面１ｂ１に表示させる（ＳＴ１７）。
【０１０１】
この画像形成装置１００のパネル部１ｂの表示画面１ｂ１上に表示されるレポート生成催促画面の一例を図１０に示す。
【０１０２】
この図１０に示すレポート生成催促画面には、設定項目確認ページであるレポートの生成を操作者に促すためのメッセージである「レポートを生成しますか？」というメッセージと、設定項目確認ページであるレポートを生成させるためのレポート生成釦（「はい」の釦）と、処理を終了してメニュー画面を表示させるためのメニュー画面表示釦（「いいえ」の釦）とが含まれている。
【０１０３】
一方、制御部１ｚは、前述したステップＳＴ１６で設定項目確認ページであるレポートの生成を操作者に促すためのレポート生成催促画面を表示させるためのレポート生成催促画面表示釦が前述した変更事項確認画面上で操作者によって操作されていないと判定した場合には（ＳＴ１６：Ｎｏ）、設定項目確認ページであるレポートの生成を操作者に促すためのレポート生成催促画面を表示させるためのレポート生成催促画面表示釦が前述した変更事項確認画面上で操作者によって操作されたかに関する判定処理を繰り返す。
【０１０４】
ステップＳＴ１８では、制御部１ｚは、レポートを生成させるためのレポート生成要求をパネル部１ｂから受け取ったかにより、レポートを生成させるためのレポート生成釦（「はい」の釦）が前述したレポート生成催促画面上で操作者によって操作されたかを判定する。
【０１０５】
制御部１ｚは、前述したステップＳＴ１８で、レポートを生成させるためのレポート生成釦（「はい」の釦）が前述したレポート生成催促画面上で操作者によって操作されたと判定した場合には（ＳＴ１８：Ｙｅｓ）、デフォルト設定の有無に関する情報が、当該設定項目が予めレポートに表示される設定項目として設定された項目であることを示す「デフォルト設定有り」である予め設定された設定項目から、操作者によって選択された設定項目を削除後の設定項目を読み出すための問い合わせをＤＢＭＳ１ｙに出力した後、ＤＢＭＳ１ｙによって読み出されたデフォルト設定の有無に関する情報が「デフォルト設定有り」である操作者によって選択された設定項目を削除後の設定項目のデータを含む応答を受け取った後で、テンプレートファイル記憶部からレポート画面（設定項目確認ページ）のテンプレートファイルを読み出し、デフォルト設定の有無に関する情報が「デフォルト設定有り」である設定項目のデータと、レポート画面（設定項目確認ページ）のテンプレートファイルとから、全ての設定項目のデータのうち、ヘルプメッセージの表示状態がレポートに含まれる設定項目のデータにヘルプメッセージを関連付けて表示することを示す「表示」になっている設定項目に関しては、設定項目リスト記憶メモリ１ｔに記憶された第１のサイズ（小）、第１のサイズ（小）よりも大きい第２のサイズ（中）、第２のサイズ（中）よりも大きい第３のサイズ（大）の何れかの文字サイズと同一の文字サイズの設定項目のデータと、設定項目リスト記憶メモリ１ｔに記憶された文字サイズと同一の文字サイズの、当該設定項目のデータに関連付けられたヘルプメッセージと、当該ヘルプメッセージのメッセージＩＤとを含む一方、設定項目リスト記憶メモリ１ｔに記憶された全ての設定項目のデータのうち、ヘルプメッセージの表示状態がレポートに含まれる設定項目のデータにヘルプメッセージを関連付けて表示しないことを示す「非表示」になっている設定項目に関しては、設定項目リスト記憶メモリ１ｔに記憶された第１のサイズ（小）、第１のサイズ（小）よりも大きい第２のサイズ（中）、第２のサイズ（中）よりも大きい第３のサイズ（大）の何れかの文字サイズと同一の文字サイズの設定項目のデータと、設定項目に関連するヘルプメッセージのメッセージＩＤとをそれぞれ含むレポート画面のデータを生成し、生成したレポート画面のデータをパネル部１ｂの表示画面１ｂ１に表示させた後（ＳＴ１９）、実行処理を終了する。
【０１０６】
この画像形成装置１００のパネル部１ｂの表示画面１ｂ１上に表示されるレポート画面の一例を図１１に示す。
【０１０７】
この図１１に示すレポート画面では、文字サイズが「大」で設定された設定項目Ａと、設定項目Ａに関連するヘルプメッセージと、当該設定項目Ａに関連するヘルプメッセージのメッセージＩＤと、文字サイズが「中」で設定された設定項目Ｂと、設定項目Ｂに関連するヘルプメッセージと、当該設定項目Ｂに関連するヘルプメッセージのメッセージＩＤと、文字サイズが「小」で設定された設定項目Ｃと、当該設定項目Ｃに関連するヘルプメッセージのメッセージＩＤとが含まれている。
【０１０８】
なお、この画像形成装置１００におけるレポート画面では、文字サイズが「大」で設定された設定項目Ａと、設定項目Ａに関連するヘルプメッセージと、当該設定項目Ａに関連するヘルプメッセージのメッセージＩＤと、文字サイズが「中」で設定された設定項目Ｂと、設定項目Ｂに関連するヘルプメッセージと、当該設定項目Ｂに関連するヘルプメッセージのメッセージＩＤと、文字サイズが「小」で設定された設定項目Ｃと、当該設定項目Ｃに関連するヘルプメッセージのメッセージＩＤとが含まれていたが、これに限らず、メッセージＩＤは表示させなくてもよいことは言うまでもない。
【０１０９】
一方、制御部１ｚは、前述したステップＳＴ１８でレポートを生成させるためのレポート生成釦（「はい」の釦）が前述したレポート生成催促画面上で操作者によって操作されていないと判定した場合には（ＳＴ１８：Ｎｏ）、メニュー画面を表示させるためのメニュー画面の表示要求をパネル部１ｂから受け取ったかにより、メニュー画面を表示させるためのメニュー画面表示釦（「いいえ」の釦）が前述したレポート生成催促画面上で操作者によって操作されたかを判定する（ＳＴ２０）。
【０１１０】
制御部１ｚは、前述したステップＳＴ２０でメニュー画面を表示させるためのメニュー画面表示釦（「いいえ」の釦）が前述したレポート生成催促画面上で操作者によって操作されたと判定した場合には（ＳＴ２０：Ｙｅｓ）、メニュー画面のテンプレートファイルのデータをテンプレートファイル記憶メモリから読み出し、読み出したメニュー画面のテンプレートファイルのデータから、メニュー画面のデータを生成した後、生成したメニュー画面のデータをパネル部１ｂの表示画面１ｂ１に表示させた後（ＳＴ２１）、実行処理を終了する。
【０１１１】
一方、制御部１ｚは、前述したステップＳＴ２０でメニュー画面を表示させるためのメニュー画面表示釦（「いいえ」の釦）が前述した変更事項確認画面上で操作者によって操作されていないと判定した場合には（ＳＴ２０：Ｎｏ）、前述したステップＳＴ５乃至ステップＳＴ２０の実行処理を設定項目確認ページであるレポートを生成させるためのレポート生成釦が前述したレポート生成催促画面上で操作者によって操作されるまでの間、繰り返す。
【０１１２】
なお、この画像形成装置１００では、設定項目確認ページであるレポート画面を表示画面（表示手段）に表示させていたが、これに限らず、設定項目確認ページであるレポートを情報記録材である紙に印字させてもよいことは言うまでもない。
【０１１３】
上述したように、この画像形成装置１００によれば、レポート内に含まれる設定項目を表示する文字サイズを変更したり、設定項目に関する詳細な情報を表示するためのヘルプ表示を予め定められた設定項目を含むレポートに追加したり、予め定められた設定項目を含むレポートに使用頻度の高い設定項目を追加したり、予め定められた設定項目を含むレポートから使用頻度の低い設定項目を削除したりする何らかのレポートのカスタマイズを可能にすることによって、画像形成装置の操作性の向上を図るとともに、操作者に対して与える不快感の軽減を図ることが可能となる。
【０１１４】
また、この画像形成装置１００によれば、レポート内に含まれる設定項目を表示する文字サイズを変更することができるので、レポート内に含まれる設定項目を表示する文字サイズを大きいサイズに変更することで操作者によるレポートの視認性の向上を図ることが可能になる。
【０１１５】
更に、この画像形成装置１００によれば、レポート内に含まれる設定項目を表示する文字サイズを変更することができるので、レポート内に含まれる設定項目を表示する文字サイズを小さいサイズに変更することで用紙の消費量の抑制を図ることが可能になる。
【０１１６】
また、この画像形成装置１００によれば、予め定められた設定項目を含むレポートに使用頻度の高い設定項目を追加したり、予め定められた設定項目を含むレポートから使用頻度の低い設定項目を削除したりするカスタマイズを行うことができるので、操作者が必要と感じる項目のみをレポートに表示させることができるため、操作者が必要と感じる項目のみを容易に取得することができるとともに、用紙の消費量の抑制を図ることが可能になる。
【０１１７】
更に、この画像形成装置１００によれば、レポート内に含まれる設定項目を表示する文字サイズを変更したり、設定項目に関する詳細な情報を表示するためのヘルプ表示を予め定められた設定項目を含むレポートに追加したり、予め定められた設定項目を含むレポートに使用頻度の高い設定項目を追加したり、予め定められた設定項目を含むレポートから使用頻度の低い設定項目を削除したりする何らかのレポートのカスタマイズを可能にすることによって、柔軟にレポートのレイアウトを変更することが可能になる。
【０１１８】
なお、本発明は、上記実施の形態に限定されるものではなく、実施段階では本発明の要旨を逸脱しない範囲内で種々の変更が可能である。更に上記実施の形態には種々の段階の発明が含まれており、開示される複数の構成要件における適宜な組み合わせにより種々の発明が生成され得る。例えば実施の形態に示される全構成要件からいくつかの要件が省略されることで発明が生成される場合には、その生成された発明を実施する段階では省略部分が周知慣用技術で補われるものである。
【０１１９】
その他、本発明は、その要旨を逸脱しない範囲内で種々変更して実施することができる。
【図面の簡単な説明】
【０１２０】
【図１】本発明に係る画像形成装置を適用した複合機の一例を示す斜視図である。
【図２】本発明に係る画像形成装置を適用した複合機の構成の一例を示す機能ブロック図である。
【図３】同実施の形態に係る画像形成装置に記憶された設定項目データベース１ｘの一例を示す模式図である。
【図４】本発明に係る画像形成装置の実行する実行処理の一例に関して説明するためのフローチャートである。
【図５】同実施の形態に係る画像形成装置のパネル部の表示画面上に表示される文字サイズ設定催促画面の一例を示す模式図である。
【図６】同実施の形態に係る画像形成装置のパネル部の表示画面上に表示される設定項目検索催促画面の一例を示す模式図である。
【図７】同実施の形態に係る画像形成装置のパネル部の表示画面上に表示される設定項目追加催促画面の一例を示す模式図である。
【図８】同実施の形態に係る画像形成装置のパネル部の表示画面上に表示される設定項目無しメッセージ表示画面の一例を示す模式図である。
【図９】同実施の形態に係る画像形成装置のパネル部の表示画面上に表示される変更事項確認画面の一例を示す模式図である。
【図１０】同実施の形態に係る画像形成装置のパネル部の表示画面上に表示されるレポート生成催促画面の一例を示す模式図である。
【図１１】同実施の形態に係るレポート画面の一例を示す模式図である。
【符号の説明】
【０１２１】
１…装置本体、１ａ…電源スイッチ、１ｂ…パネル部、１ｂ１…表示画面、１ｃ…インターフェース部、１ｄＹ、１ｄＭ、１ｄＣ、１ｄＫ…トナー残量検出部、１ｅ１〜１ｅｎ…給紙段別紙残量検出部、１ｆ１〜１ｆｎ…給紙段別カウンタと、１ｇ…ＩＰアドレス記憶メモリ、１ｈ…表示項目設定記憶メモリ、１ｉ…トナー残量記憶メモリ、１ｊ…給紙段別紙残量記憶メモリ、１ｋ…給紙段別印刷枚数記憶メモリ、１ｌ…ファームウェアデータ記憶メモリ、１ｍ…プログラム記憶メモリ、１ｎ…占有者データ記憶メモリ、１ｏ…排出トレイデータ記憶メモリ、１ｐ…用紙種別データ記憶メモリ、１ｑ…給紙段データ記憶メモリ、１ｒ…実行予定ジョブ記憶バッファ、１ｓ…印刷ジョブ履歴データ記憶メモリ、１ｔ…設定項目リスト記憶メモリ、１ｕ…テンプレートファイル記憶メモリ、１ｖ…画像生成部、１ｗ…プリンターエンジン部、１ｘ…設定項目データベース、１ｙ…ＤＢＭＳ、１ｚ…制御部、１００…画像形成装置
【図１】
2010050727.tif 000003
【図２】
2010050727.tif 000004
【図３】
2010050727.tif 000005
【図４】
2010050727.tif 000006
【図５】
2010050727.tif 000007
【図６】
2010050727.tif 000008
【図７】
2010050727.tif 000009
【図８】
2010050727.tif 000010
【図９】
2010050727.tif 000011
【図１０】
2010050727.tif 000012
【図１１】
2010050727.tif 000013